(57)【要約】      （修正有）【課題】手帳の筆記面の平面性を損なわず、筆記作業に支障を与えない手帳の脱落防止手段。【解決手段】ポケットの縁を外側から手帳の表紙（又は裏表紙）面に押し付けるためのクリップ部と、手帳の表紙（又は裏表紙）に固定される十分に薄い固定板からなり、両者は支点（軸）で接続される。固定板を取り付ける手帳の表紙（又は裏表紙）面の手帳上下方向を、直交座標の原点から右（手帳上端を原点として下方向を正の方向）のｘ軸に、そして固定板を取り付ける手帳の表紙（又は裏表紙）面に対する垂線をｙ軸（この場合、手帳から遠ざかる方向を正の方向）に当てはめた場合、手帳の脱落防止を目的としてクリップ部先端が座標第一象限のｘ軸に近接する位置に存在する。手帳に筆記作業を行う時には第三象限に位置する支点を中心にクリップ部を反時計方向に回転させ第三象限に移動でき、手帳の表紙（又は裏表紙）の延長面上における本器具の突出を無くすことができる。【選択図】図１
2011073425.tif 000002
【特許請求の範囲】
【請求項１】
手帳の脱落防止を目的として、ポケットの縁を外側から手帳の表紙（又は裏表紙）面に押し付けるためのクリップ部と、手帳の表紙（又は裏表紙）に固定される十分に薄い固定板からなり、両者は支点（軸）で接続される。固定板を取り付ける手帳の表紙（又は裏表紙）面の手帳上下方向を、直交座標の原点から右（手帳上端を原点として下方向を正の方向）のｘ軸に、そして固定板を取り付ける手帳の表紙（又は裏表紙）面に対する垂線をｙ軸（この場合、手帳から遠ざかる方向を正の方向）に当てはめた場合、手帳の脱落防止を目的としてクリップ部先端の作用点が座標第一象限のｘ軸に近接する位置に存在する。手帳に筆記作業を行う時には第三象限に位置する支点を中心にクリップ部を反時計方向に回転させ第三象限に移動でき、手帳の表紙（又は裏表紙）の延長面上（すなわち座標第一及び第二象限）における本器具の突出を無くすことができる。その結果、机などの平面が座標第一象限と第二象限を占有することができ、筆記面の平面性が保たれ筆記作業が快適に行われる。以上を特徴とする手帳用脱落防止器具。
【請求項２】
クリップ部の先端の作用点を固定板に接近した状態、すなわち第一象限のｘ軸近傍に固定するためのロック機構を第三象限に持つ請求項１に記載の手帳用脱落防止器具。
【請求項３】
クリップ部の先端の作用点をバネの弾性によって固定板に押し付ける機構を第三象限に持つ請求項１に記載の手帳用脱落防止器具。
【請求項４】
クリップ部が弾性材料で作成されており、その支点に近い部分が、固定板と支点の間に設けられた溝に嵌合することでクリップ部の先端の作用点を固定板に最も近い位置（第一象限のｘ軸近傍）に固定するためのロックとして機能する。また、クリップ部を手帳表紙（又は裏表紙）面から遠ざけるようにある程度の力で持ち上げるとクリップ部が溝から抜け出し、それによって自動的にロックが解除される。以上を特徴とする請求項１に記載の手帳用脱落防止器具。
【請求項５】
クリップ部が弾性材料で作成されており、その支点に近い部分が、固定板と支点の間に設けられた溝に嵌合することでクリップ部の先端の作用点を固定板に最も近い位置（第一象限のｘ軸近傍）に固定するためのロックとして機能する。また、クリップ部を押し曲げて溝から抜け出させる事でロックを解除することができる。以上を特徴とする請求項１に記載の手帳用脱落防止器具。
【請求項６】
クリップ部は支点を軸とした基部と一体化れており、基部にはクリップ部の回転をロックするための溝が存在する。固定板には基部を挟み込むために弾性材料で作成された摺動子が付属され、摺動子が基部の溝にはまり込むことでクリップ部先端の作用点の位置が第一象限のｘ軸近傍でロックされる。また、クリップ部を手帳の表紙（又は裏表紙）から遠ざけるようにある程度の力で持ち上げると溝が摺動子から抜け出し、自動的にロックが解除される。以上を特徴とする請求項１に記載の手帳用脱落防止器具。
【請求項７】
クリップ部は支点を軸とした基部と一体化されており、基部にはクリップ部の回転をロックするための溝が存在する。基部を貫通する軸は両端を軸受けが支持している。軸と軸受けが嵌合する部分は非円柱形になっており軸が軸受けに対して回転しない構造となっている。軸は基部の溝にはまり込む形状の突起を有しており、クリップ部先端の作用点が固定板に最も近い位置（第一象限のｘ軸近傍）にて溝と突起の位置が互いにかみ合うように一致し、軸を一方の軸受け側から他方の軸受け側に押すバネの弾性によって突起が溝にはまり込みロックがかかる。また、軸に接続されたボタンを押す事でバネを押し返す方向に軸がスライドし突起が溝から外れ、ロックが解除される。以上を特徴とする請求項１に記載の手帳用脱落防止器具。
【請求項８】
バネの両端がそれぞれ軸受けと基部に引っかかり、バネのねじれによる弾性力により基部を回転させる力が加わる。それによってボタンが押され軸がスライドし突起が溝から外れることでロックが解除されると、クリップ部がバネのねじれによる弾性により自動的に第一象限から第三象限まで回転する。以上を特徴とする請求項５に記載の手帳用脱落防止器具。
【請求項９】
クリップ部は支点を軸とした基部と一体化されており、基部にはクリップ部の回転をロックするための溝が存在する。基部を貫通する軸は両端を軸受けが支持する。軸と軸受けが嵌合する部分は非円柱形になっており軸が軸受けに対して回転しない構造となっている。軸は基部の溝にはまり込む形状の突起を有しており、クリップ部先端が固定板に対して開いた位置（直交座標の第三象限の位置）にて溝と突起の位置が互いにかみ合うように一致し、軸を一方の軸受け側から他方の軸受け側に押すバネの弾性力によって軸がスライドし、突起が溝にはまり込みロックがかかる。また、バネの両端はそれぞれ軸受けと基部に引っかかっておりクリップ部先端の作用点を固定板に押し付ける方向に基部を回転させるようにバネのねじれによる弾性力が働く。軸に接続されたボタンを押す事でバネを縮める方向に軸がスライドし突起が溝から外れることでロックが解除され、クリップ部の先端が第三象限から第一象限のｘ軸の近傍へとバネのねじれによる弾性によって自動的に回転し、さらに手帳の脱落を防止するためにクリップ部先端の作用点がポケットの縁を手帳の表紙に押し付ける。以上を特徴とする請求項１に記載の手帳用脱落防止器具。
【請求項１０】
手帳の表紙（又は裏表紙）に固定するための十分に薄い固定板と固定板に対して角度が可変するクリップ部を持つ。固定板はステンレスなどの磁性体で作成され、クリップ部はその先端に磁石を持つ。固定板とクリップ部は支点（軸）で接続される。手帳の表紙（又は裏表紙）面の手帳上下方向を、直交座標の原点から右（手帳上端を原点として下方向を正の方向）のｘ軸に、そして固定板を取り付ける手帳の表紙（又は裏表紙）面に対する垂線をｙ軸（この場合、手帳から遠ざかる方向を正の方向）に当てはめた場合、表紙（又は裏表紙）に固定される固定板もその大部分が正のｘ軸上にほぼ重なり、支点は直交座標の第三象限に位置する。磁石を配したクリップ部先端は、その磁力によって固定板に対して閉じようとする力が働く。このときクリップ部の先端の作用点は第一象限のｘ軸近傍に位置しポケットの縁を手帳の表紙（又は裏表紙）に押し付けることでポケットからの脱落が防止される。また、固定板からクリップ部を磁力以上の力で持ち上げるとクリップ部は固定板から引き離される。この時、クリップ部は直交座標の第三象限の位置まで支点を中心に回転させることができ、手帳の表紙（又は裏表紙）の延長面上（すなわち座標第一及び第二象限）における本器具の突出を無くすことができる。その結果、机などの平面が座標第一象限と第二象限を占有することができ、筆記面の平面性が保たれ筆記作業が快適に行われる。以上を特徴とする手帳用脱落防止器具。
【請求項１１】
手帳の表紙（又は裏表紙）に固定するための十分に薄い固定板と固定板に対して角度が可変するクリップ部を持つ。固定板はステンレスなどの磁性体で作成され、固定板とクリップ部は支点（軸）で接続される。そしてクリップ部の支点に近い根元部分には磁石が取り付けられている。手帳の表紙（又は裏表紙）面の手帳上下方向を、直交座標の原点から右（手帳上端を原点として下方向を正の方向）のｘ軸に、そして固定板を取り付ける手帳の表紙（又は裏表紙）面に対する垂線をｙ軸（この場合、手帳から遠ざかる方向を正の方向）に当てはめた場合、表紙（又は裏表紙）に固定される固定板もその大部分が正のｘ軸上にほぼ重なり、支点は直交座標の第三象限に位置する。磁石を持つクリップ部の根元部分は、その磁力によって固定板に吸い付き、その結果クリップ部先端の作用点が第一象限のｘ軸近傍に固定され、ポケットの縁を手帳の表紙（又は裏表紙）に押し付けることで、手帳がポケットから脱落する事を防止する。また、固定板からクリップ部を磁力以上の力で持ち上げるとクリップ部は固定板から引き離される。この時、クリップ部は支点を中心に直交座標の第三象限の位置まで回転させることができ、手帳の表紙（又は裏表紙）の延長面上（すなわち座標第一及び第二象限）における本器具の突出を無くすことができる。その結果、机などの平面が座標第一象限と第二象限を占有することができ、筆記面の平面性が保たれ筆記作業が快適に行われる。以上を特徴とする手帳用脱落防止器具。
【請求項１２】
固定板にスリットを設けて手帳の表紙（又は裏表紙）もしくは表紙に隣接する厚紙のページを挟み込んで自身を固定する請求項１から９に記載の手帳用脱落防止器具。
【請求項１３】
両面テープもしくは接着剤を用いて固定板を手帳の表紙（又は裏表紙）に固定する請求項１から９に記載の手帳用脱落防止器具。
【請求項１４】
請求項１から９に記載の脱落防止器具の固定板を手帳の表紙（又は裏表紙）或いは別のページとして一体加工してなる脱落防止機能付の手帳。
【発明の詳細な説明】
【技術分野】
【０００１】  この発明は、ポケットに格納できる手帳の脱落防止技術に関する。
【背景技術】
【０００２】  従来の手帳用脱落防止器具は手帳に脱落防止器具が装着されたままの状態において手帳への筆記作業を困難にしていた。
【先行技術文献】
【特許文献】
【０００３】
【特許文献１】特開２００５−２６５１７３
【発明の概要】
【発明が解決しようとする課題】
【０００４】  しかしながら以上の技術によれば、筆記作業時に手帳を平らな机の上に開き置いた時に手帳と机の平面の間に器具が存在することで手帳筆記面の平面性を損ない、そのために手帳から器具を取り去るか、硬い下敷きを筆記ページの下に差し入れる必要が生じていた。
そこでこの発明は、手帳に装着したままで快適かつ不便のない筆記作業を可能とする手帳用脱落防止器具を提供することを課題とする。
【課題を解決するための手段】
【０００５】  以上の課題を解決するための発明は、器具が、手帳の表紙（または裏表紙）に接着又はスリットで挟んで固定されるための十分な薄さを持った固定板と、器具が手帳の表紙（又は裏表紙）にポケットの縁をその外側から押し付ける作用点があるクリップ部を持っており、固定板とクリップ部は支点（軸）で結合される。固定板が固定される手帳の表紙（又は裏表紙）面の手帳上下方向を直交座標の原点から右（手帳の上端を原点とし下方向を正の方向）のｘ軸に当てはめた場合、固定板もｘ軸とほぼ重なる位置に来る。固定板が固定される表紙（又は裏表紙）面に対する垂線をｙ軸（この場合手帳から遠ざかる方向を正）とすると、固定板とクリップ部を接続する支点（軸）は直交座標の第三象限に位置する。そしてクリップ部はその先端を作用点とするならば作用点は直交座標の第一象限のｘ軸近傍に位置し、ポケットの縁を外側から手帳の表紙（又は裏表紙）に押し付けることで手帳がポケットから脱落することを防止する。また手帳に筆記作業を行う場合、第三象限に位置する支点（軸）を中心としてクリップ部を反時計方向に回転させることにより、第一象限から第三象限に移動させることができ、結果として筆記作業時に机などの平面が占有すベき手帳の表紙（又は裏表紙）の延長面上（つまり直交座標の第一象限及び第二象限）に器具が突起物として存在しなくなることで手帳の筆記面の平面性が確保され、筆記作業を快適に行うことが可能となる。以上を特徴とする手帳用脱落防止器具である。
【発明の効果】
【０００６】  発明によれば、手帳をポケットに収納するときは、ボールペンなどの筆記具のクリップと同様に脱落防止器具のクリップ部がポケットの縁を挟み（手帳の表紙又は裏表紙にポケットの縁をその外側から押し付けて）手帳の脱落を防止する。また、手帳の表紙又は裏表紙面の手帳上下方向を、直交座標の原点から右（手帳の上端を原点とし下方向を正の方向）のｘ軸に当てはめ、手帳の表紙（又は裏表紙）面に対する垂線をｙ軸（手帳から遠ざかる方向を正の方向）にあてはめた場合、直交座標の第一象限に位置するクリップ部を、筆記作業時には第三象限に位置する支点を中心に回転させ、第三象限まで移動させることで、第一象限及び第二象限に脱落防止器具の突出が無くなる。その結果、机などの表面が第一象限と第二象限を占有することが可能となり、筆記面が開かれた手帳を、机などの平面上に筆記面の平面性を保ったまま配置する事が可能となり、筆記作業を快適に行うことができる。
【図面の簡単な説明】
【０００７】
【図１】本発明の実施形態を示す斜視図である。（実施例１）
【図２】本発明の実施形態を示す斜視図である。（実施例１）
【図３】本発明の実施形態を示す直交座標に当てはめた説明図である。（実施例１）
【図４】本発明の実施形態を示す斜視図である。（実施例２）
【図５】本発明の実施形態を示す斜視図である。（実施例２）
【図６】本発明の実施形態を示す斜視図である。（実施例３）
【図７】本発明の実施形態を示す斜視図である。（実施例４および５および６）
【図８】本発明の実施形態を示す斜視図である。（実施例４および５および６）
【図９】支点部分の分解図である。（実施例４）
【図１０】支点部分の組立図である。（実施例４および５および６）
【図１１】支点部分の断面図である。（実施例４）
【図１２】支点部分の分解図である。（実施例５および６）
【図１３】支点部分の断面図である。（実施例５および６）
【図１４】本発明の実施形態を示す斜視図である。（実施例７）
【図１５】本発明の実施形態を示す斜視図である。（実施例７）
【図１６】本発明の実施形態を示す斜視図である。（実施例８）
【図１７】本発明の実施形態を示す斜視図である。（実施例８）
【図１８】この発明の一実施形態を施した手帳を示す斜視図である。
【図１９】この発明の一実施形態を施した手帳を示す斜視図である。（筆記作業時）
【図２０】この発明の一実施形態を施した手帳をポケットに収納した斜視図である。
【発明を実施するための形態】
【実施例１】
【０００８】  この発明の一実施形態を、図１（斜視図）、図２（斜視図）、図３（直交座標に当てはめた説明図）に示す。手帳の表紙（または裏表紙）▲１▼に固定するための十分に薄い固定板▲２▼と固定板に対して角度が可変するクリップ部▲３▼を持つ。固定板とクリップ部は支点（軸）▲４▼で接続される。手帳の表紙（又は裏表紙）面の手帳上下方向を、直交座標の原点から右（手帳上端を原点として下方向を正の方向）のｘ軸に、そして固定板を取り付ける手帳の表紙（又は裏表紙）面に対する垂線をｙ軸（この場合、手帳から遠ざかる方向を正の方向）に当てはめた場合、表紙（又は裏表紙）に固定される固定板もその大部分が正のｘ軸上にほぼ重なり、支点は直交座標の第三象限に位置する（図３参照）。クリップ部は弾性材料を使用し、その先端付近を作用点▲５▼とし、作用点は直交座標の第一象限のｘ軸近傍の位置にて、すなわち固定板に対して作用点が接近した状態にて支点に近い部分のクリップ部が溝▲６▼に入り込んでロックがかかり容易には固定板との角度が開かないようになっている（図１参照）。このとき作用点と、固定板が取り付けられている手帳の表紙（又は裏表紙）が、ポケットの縁を挟み込むことで手帳がポケットから脱落する事を防止する。ある程度の力で固定板からクリップ部を持ち上げると、クリップ部が溝から抜け出すことでロックが外れ、支点を回転軸として固定板との角度を広げることができる。この時、クリップ部は直交座標の第三象限の位置まで回転させることができる（図２参照）。固定板には手帳の表紙（又は裏表紙）もしくは表紙（又は裏表紙）に隣接する厚紙のページを挟み込んで自身を固定するためのスリット▲７▼を有することも可能であるがスリットを使わず両面テープや接着剤により表紙や裏表紙に固定することも可能とする。
【実施例２】
【０００９】  この発明の一実施形態を、図４（斜視図）、図５（斜視図）、図３（直交座標に当てはめた説明図）に示す。
手帳の表紙（又は裏表紙）▲１▼に固定するための十分に薄い固定板▲２▼と固定板に対して角度が可変するクリップ部▲３▼を持つ。固定板とクリップ部は支点（軸）▲４▼で接続される。手帳の表紙（又は裏表紙）面の手帳上下方向を、直交座標の原点から右（手帳上端を原点として下方向を正の方向）のｘ軸に、そして固定板を取り付ける手帳の表紙（又は裏表紙）面に対する垂線をｙ軸（この場合、手帳から遠ざかる方向を正の方向）に当てはめた場合、表紙（又は裏表紙）に固定される固定板もその大部分が正のｘ軸上にほぼ重なり、支点は直交座標の第三象限に位置する（図３参照）。クリップ部は弾性材料を使用し、その先端付近を作用点▲５▼とし、作用点は直交座標の第一象限のｘ軸近傍の位置にて、すなわち固定板に対して作用点が接近した状態にて支点に近い部分のクリップ部が溝▲６▼に入り込んでロックがかかり容易には固定板との角度が開かないようになっている（図４参照）。このとき作用点と、固定板が取り付けられている手帳の表紙（又は裏表紙）が、ポケットの縁を挟み込むことで手帳がポケットから脱落する事を防止する。溝に嵌ったクリップ部を溝から抜け出させる方向に押し曲げ、溝から抜け出させるとロックが解除され、支点を回転軸として固定板との角度を広げることができる。この時、クリップ部は直交座標の第三象限の位置まで回転させることができる（図５参照）。固定板には手帳の表紙（又は裏表紙）もしくは表紙（又は裏表紙）に隣接する厚紙のページを挟み込んで自身を固定するためのスリット▲７▼を有することも可能であるがスリットを使わず両面テープや接着剤により表紙や裏表紙に固定することも可能とする。
【実施例３】
【００１０】  この発明の一実施形態を、図６（斜視図）に示す。
手帳の表紙（又は裏表紙）▲１▼に固定するための十分に薄い固定板▲２▼と固定板に対して角度が可変するクリップ部▲３▼を持つ。固定板とクリップ部は支点（軸）▲４▼で接続される。手帳の表紙（又は裏表紙）面の手帳上下方向を、直交座標の原点から右（手帳上端を原点として下方向を正の方向）のｘ軸に、そして固定板を取り付ける手帳の表紙（又は裏表紙）面に対する垂線をｙ軸（この場合、手帳から遠ざかる方向を正の方向）に当てはめた場合、表紙（又は裏表紙）に固定される固定板もその大部分が正のｘ軸上にほぼ重なり、支点は直交座標の第三象限に位置する。クリップ部は支点を軸とする基部▲８▼に固定されており基部も第三象限に位置する。基部にはクリップ部の位置をロックするための溝▲６▼がある。固定板には基部を挟み込む為に弾性材料で作成された摺動子▲９▼が付属され、摺動子が基部の溝にはまり込む事でクリップ部の位置をその先端の作用点▲５▼が固定板に近い（第一象限のｘ軸近傍）位置にてロックする。このとき作用点と、固定板が取り付けられている手帳の表紙（又は裏表紙）が、ポケットの縁を挟み込むことで手帳がポケットから脱落する事を防止する。ある程度の力で固定板からクリップ部を持ち上げると、溝が摺動子から抜け出すことでロックがはずれ、支点を回転軸として固定板との角度を広げる事ができる。この時、クリップ部は直交座標の第三象限の位置まで回転させることができる。固定板には手帳の表紙（又は裏表紙）もしくは表紙（又は裏表紙）に隣接する厚紙のページを挟み込んで自身を固定するためのスリット▲７▼を有することも可能であるがスリットを廃して両面テープや接着剤により表紙や裏表紙に固定することも可能とする。
【実施例４】
【００１１】  この発明の一実施形態を、図７（斜視図）、図８（斜視図）、図９（支点部分の分解図）、図１０（支点部分の組立図）、図１１（支点部分の断面図）に示す。手帳の表紙（又は裏表紙）▲１▼に固定するための十分に薄い固定板▲２▼と固定板に対して角度が可変するクリップ部▲３▼を持つ。固定板とクリップ部は支点（軸）▲４▼で接続される。手帳の表紙（又は裏表紙）面の手帳上下方向を、直交座標の原点から右（手帳上端を原点として下方向を正の方向）のｘ軸に、そして固定板を取り付ける手帳の表紙（又は裏表紙）面に対する垂線をｙ軸（この場合、手帳から遠ざかる方向を正の方向）に当てはめた場合、表紙（又は裏表紙）に固定される固定板もその大部分が正のｘ軸上にほぼ重なり、支点は直交座標の第三象限に位置する。クリップ部は支点を軸とする基部▲８▼と一体化されており基部も第三象限に位置する。基部にはクリップ部の位置をロックするための溝▲６▼がある。基部を貫通する軸は両端を軸受け▲１０▼が支持しており軸受けはその全体が基部と同様に第三象限に位置する。軸は軸受けと嵌合する部分を非円柱形にすることで軸受けに対して回転しない構造になっている。また軸は基部の溝にはまり込む形状の突起▲１１▼を有しており、クリップ部先端の作用点▲５▼が固定板に近い位置（第一象限のｘ軸近傍）にて溝と突起の位置が互いにかみ合うように一致しバネ▲１２▼に押されて軸がスライドし突起が溝にはまり込みロックがかかる（図７参照）。このとき作用点と、固定板が取り付けられている手帳の表紙（又は裏表紙）が、ポケットの縁を挟み込むことで手帳がポケットから脱落する事を防止する。また、ボタン▲１３▼を押す事で軸がバネを押し戻す方向にスライドし突起が溝から外れることでロックが解除されクリップ部を反時計回りに回転させ固定板との角度を広げる事ができる。この時、クリップ部は直交座標の第三象限の位置まで回転させることができる（図８参照）。固定板には手帳の表紙（又は裏表紙）もしくは表紙（又は裏表紙）に隣接する厚紙のページを挟み込んで自身を固定するためのスリット▲７▼を有することも可能であるがスリットを廃して両面テープや接着剤により表紙や裏表紙に固定することも可能とする。
【実施例５】
【００１２】  この発明の一実施形態を、図７（斜視図）、図８（斜視図）、図１２（支点部分分解図）、図１０（支点部分組立図）、図１３（支点部分断面図）に示す。手帳の表紙（又は裏表紙）▲１▼に固定するための十分に薄い固定板▲２▼と固定板に対して角度が可変するクリップ部▲３▼を持つ。固定板とクリップ部は支点（軸）▲４▼で接続される。手帳の表紙（又は裏表紙）面の手帳上下方向を、直交座標の原点から右（手帳上端を原点として下方向を正の方向）のｘ軸に、そして固定板を取り付ける手帳の表紙（又は裏表紙）面に対する垂線をｙ軸（この場合、手帳から遠ざかる方向を正の方向）に当てはめた場合、表紙（又は裏表紙）に固定される固定板もその大部分が正のｘ軸上にほぼ重なり、支点は直交座標の第三象限に位置する。クリップ部は支点を軸とする基部▲８▼と一体化されており基部も第三象限に位置する。基部にはクリップ部の位置をロックするための溝▲６▼がある。基部を貫通する軸は両端を軸受け▲１０▼が支持しており軸受けはその全体が基部同様に第三象限に位置する。軸は軸受けと嵌合する部分を非円柱形にすることで軸受けに対して回転しない構造になっている。また軸は基部の溝にはまり込む形状の突起▲１１▼を有しており、クリップ部先端の作用点▲５▼が固定板に近い（第一象限のｘ軸近傍）位置にて溝と突起の位置が互いにかみ合うように一致しバネ▲１２▼が伸びようとする弾性力によって突起が溝にはまり込みロックがかかる（図７参照）。このとき作用点と、固定板が取り付けられている手帳の表紙（又は裏表紙）が、ポケットの縁を挟み込むことで手帳がポケットから脱落する事を防止する。また、バネはその両端がその同心円から外側に直線状に延長されており、バネをあらかじめ時計回りにねじった状態にてその直線部分が基部と軸受けにそれぞれ引っかかり、バネの回転を戻す方向（この場合反時計回り）に働く弾性により基部を回転させる力が加わる。それによってボタン▲１３▼が押され、軸がスライドし突起が溝から外れるとロックが解除されクリップ部を反時計回りに自動的に回転させ、固定板との角度を広げる事ができる。この時、クリップ部は直交座標の第三象限の位置までバネの弾性により自動的に回転する（図８参照）。固定板には手帳の表紙（又は裏表紙）もしくは表紙（又は裏表紙）に隣接する厚紙のページを挟み込んで自身を固定するためのスリット▲７▼を有することも可能であるがスリットを廃して両面テープや接着剤により表紙や裏表紙に固定することも可能とする。
【実施例６】
【００１３】  この発明の一実施形態を、図７（斜視図）、図８（斜視図）、図１２（支点部分分解図）、図１０（支点部分組立図）、図１３（支点部分断面図）に示す。手帳の表紙（又は裏表紙）▲１▼に固定するための十分に薄い固定板▲２▼と固定板に対して角度が可変するクリップ部▲３▼を持つ。固定板とクリップ部は支点（軸）▲４▼で接続される。手帳の表紙（又は裏表紙）面の手帳上下方向を、直交座標の原点から右（手帳上端を原点として下方向を正の方向）のｘ軸に、そして固定板を取り付ける手帳の表紙（又は裏表紙）面に対する垂線をｙ軸（この場合、手帳から遠ざかる方向を正の方向）に当てはめた場合、表紙（又は裏表紙）に固定される固定板もその大部分が正のｘ軸上にほぼ重なり、支点は直交座標の第三象限に位置する。クリップ部は支点を軸とする基部▲８▼と一体化されており基部も第三象限に位置する。基部にはクリップ部の位置をロックするための溝▲６▼がある。基部を貫通する軸は両端を軸受け▲１０▼が支持しており軸受けはその全体が基部と同様に第三象限に位置する。軸は軸受と嵌合する部分を非円柱形にすることで軸受けに対して回転しない構造になっている。また軸は基部の溝にはまり込む形状の突起▲１１▼を有しており、クリップ部先端の作用点▲５▼が固定板に対して開いた位置（第三象限）にて溝と突起の位置が互いにかみ合うように一致しバネ▲１２▼が伸びようとする弾性力によって突起が溝にはまり込みロックがかかる（図８参照）。また、バネはその両端がその同心円から外側に直線状に延長されておりこの直線部分が反時計回りにバネをあらかじめねじった状態にて基部と軸受けにそれぞれ引っかかり、バネのねじれを戻す方向（この場合時計回り）に働く弾性により基部を回転させる力が加わる。そのためボタン▲１３▼が押されると、軸がスライドし突起が溝から外れることによりロックが解除され、クリップ部を時計回りに自動的に回転させ、固定板との角度を小さくする事ができる。この時、クリップ部先端の作用点が固定板と近接する位置（直交座標の第一象限のｘ軸近傍）までバネの弾性により自動的に回転する（図７参照）。このとき作用点と、固定板が取り付けられている手帳の表紙（又は裏表紙）が、ポケットの縁を挟み込むことで手帳がポケットから脱落する事を防止する。固定板には手帳の表紙（又は裏表紙）もしくは表紙（又は裏表紙）に隣接する厚紙のページを挟み込んで自身を固定するためのスリット▲７▼を有することも可能であるがスリットを廃して両面テープや接着剤により表紙や裏表紙に固定することも可能とする。
【実施例７】
【００１４】  この発明の一実施形態を、図１４（斜視図）、図１５（斜視図）に示す。
手帳の表紙（または裏表紙）▲１▼に固定するための十分に薄い固定板▲２▼と固定板に対して角度が可変するクリップ部▲３▼を持つ。固定板はステンレスなどの磁性体で作成され、クリップ部にはその先端の作用点▲５▼に磁石▲１４▼を持つ。固定板とクリップ部は支点（軸）▲４▼で接続される。手帳の表紙（又は裏表紙）面の手帳上下方向を、直交座標の原点から右（手帳上端を原点として下方向を正の方向）のｘ軸に、そして固定板を取り付ける手帳の表紙（又は裏表紙）面に対する垂線をｙ軸（この場合、手帳から遠ざかる方向を正の方向）に当てはめた場合、表紙（又は裏表紙）に固定される固定板もその大部分が正のｘ軸上にほぼ重なり、支点は直交座標の第三象限に位置する。磁石を持つクリップ部先端の作用点は、その磁力によって固定板に対して閉じようとする力が働く（図１４参照）。このとき作用点がポケットの縁を固定板の付いた手帳の表紙（又は裏表紙）に押し付けることでポケットからの脱落が防止される。また、固定板からクリップ部を磁力以上の力で持ち上げるとクリップ部は固定板から引き離される。この時、クリップ部は直交座標の第三象限の位置まで反時計回りに回転させることができる（図１５参照）。固定板には手帳の表紙（又は裏表紙）もしくは表紙（又は裏表紙）に隣接する厚紙のページを挟み込んで自身を固定するためのスリット▲７▼を有することも可能であるがスリットを使わず両面テープや接着剤により表紙や裏表紙に固定することも可能とする。
【実施例８】
【００１５】  この発明の一実施形態を、図１６（斜視図）、図１７（斜視図）に示す。
手帳の表紙（または裏表紙）▲１▼に固定するための十分に薄い固定板▲２▼と固定板に対して角度が可変するクリップ部▲３▼を持つ。固定板はステンレスなどの磁性体で作成され、固定板とクリップ部は支点（軸）▲４▼で接続される。支点に近いクリップ部の根元部分に磁石▲１４▼を持つ。手帳の表紙（又は裏表紙）面の手帳上下方向を、直交座標の原点から右（手帳上端を原点として下方向を正の方向）のｘ軸に、そして固定板を取り付ける手帳の表紙（又は裏表紙）面に対する垂線をｙ軸（この場合、手帳から遠ざかる方向を正の方向）に当てはめた場合、表紙（又は裏表紙）に固定される固定板もその大部分が正のｘ軸上にほぼ重なり、支点は直交座標の第三象限に位置する。磁石を持つクリップ部は、その磁力によって固定板に対して閉じようとする力が働く（図１６参照）。このときクリップ部の先端の作用点▲５▼がポケットの縁を固定板の付いた手帳の表紙（又は裏表紙）に押し付けることでポケットからの脱落が防止される。また、固定板からクリップ部を磁力以上の力で持ち上げるとクリップ部は固定板から引き離される。この時、クリップ部は直交座標の第三象限の位置まで反時計回りに回転させることができる（図１７参照）。固定板には手帳の表紙（又は裏表紙）もしくは表紙（又は裏表紙）に隣接する厚紙のページを挟み込んで自身を固定するためのスリット▲７▼を有することも可能であるがスリットを使わず両面テープや接着剤により表紙や裏表紙に固定することも可能とする。【００１６】    「実施形態の効果」
この実施形態によれば、手帳をポケットに収納するときは、ボールペンなどの筆記具のクリップと同様に脱落防止器具のクリップ部がポケットの縁を挟み（手帳の表紙又は裏表紙にクリップ部がポケットの縁をその外側から押し付けて）手帳の脱落を防止する。また、手帳の表紙（又は裏表紙）面の手帳上下方向を、直交座標の原点から右（手帳の上端を原点とし下方向を正の方向）のｘ軸に当てはめ、手帳の表紙（又は裏表紙）面に対する垂線をｙ軸（手帳から遠ざかる方向を正の方向）にあてはめた場合、直交座標の第一象限に位置するクリップ部を、筆記作業時には第三象限に位置する支点を中心に回転させ、第三象限まで移動させることで、手帳の表紙（又は裏表紙）の延長面上（すなわち第一象限及び第二象限）に脱落防止器具の突出がなくなる。その結果、筆記面が開かれた手帳を、机などの平面上に筆記面の平面性を保ったまま配置（机などの表面が第一象限と第二象限を占有）する事が可能となり、筆記作業を快適に行うことができる。【００１７】    「他の実施形態」
図１から図１７の実施形態では、脱落防止器具単体を示すものであるが、他の実施形態では、固定板部分と手帳の表紙（または裏表紙）を一体化させた、あるいは別のページとして固定板部分を手帳と一体化させた脱落防止機能を持つ手帳であっても良い。
【符号の説明】
【００１８】▲１▼  手帳の表紙（又は裏表紙）            ▲２▼  固定板
▲３▼  クリップ部                          ▲４▼  支点（軸）
▲５▼  作用点                              ▲６▼  溝
▲７▼  スリット                            ▲８▼  基部
▲９▼  摺動子                              ▲１０▼  軸受け
▲１１▼  突起                              ▲１２▼  バネ
▲１３▼  ボタン                            ▲１４▼  磁石
▲１５▼  ポケットの縁
【図１】
2011073425.tif 000003
【図２】
2011073425.tif 000004
【図３】
2011073425.tif 000005
【図４】
2011073425.tif 000006
【図５】
2011073425.tif 000007
【図６】
2011073425.tif 000008
【図７】
2011073425.tif 000009
【図８】
2011073425.tif 000010
【図９】
2011073425.tif 000011
【図１０】
2011073425.tif 000012
【図１１】
2011073425.tif 000013
【図１２】
2011073425.tif 000014
【図１３】
2011073425.tif 000015
【図１４】
2011073425.tif 000016
【図１５】
2011073425.tif 000017
【図１６】
2011073425.tif 000018
【図１７】
2011073425.tif 000019
【図１８】
2011073425.tif 000020
【図１９】
2011073425.tif 000021
【図２０】
2011073425.tif 000022